(57)【特許請求の範囲】
【請求項１】
充電スポットと家具とを組み合わせただけの家具と、（１）家具躯体（符号１）に対して相対的移動物にあたる側にある凹状又は凸状のとっかかり部分とデッドボルト又はラッチボルトとが一体化した部品（符号１１）が、自重によって、相対的固定物である家具躯体（符号１）に設けられたストライク（符号１４）に挿嵌され、さらにその自重によってその挿嵌状態が維持されることを構造的な特徴とするロック機構、（２）充電台（符号１０）を固定できるトレイ（符号５）、（３）家具躯体（符号１）とトレイ（符号５）とを繋ぐトレイ・アダプター、（４）充電台に電力を供給する電源とは直接的に接続される家具躯体（符号１）又はトレイ・アダプターに固定されたコードコネクタボディのコネクタ又はアダプター（符号３）と、トレイ（符号５）に固定された充電台（符号１０）又は充電アダプター又はアダプターの刃（符号８）とが、トレイ（符号５）を家具躯体（符号１）に押し込むことによって接続されるトレイ押し込み接続方式、（５）点検及びメンテナンスの手抜きを原因とするものも含む火災リスク又は延焼リスクの低減に貢献する、火災警報器（符号１３）や消火器（符号２１）やカメラ（符号１９）、（６）粉塵傘（符号４）、（７）対流を促すために、背面部の面積よりもりも開口部の面積の方が広くなるように、開口部から背面部に向けて下り傾斜を有する天板、（８）ロボット掃除機収納スペース内部の四隅の角を取る、トレイ（符号５）の場合は二隅の角を取る、（９）充電スポットのスペース内及びその周辺部における耐火性及びないし又は耐熱性がある部材（符号２）の使用、（１０）パソコン台、ルーター置き場、テレビ台、ゲーム機置き場、レコーダー置き場、電子レンジ台、トースター台、コーヒーメーカー置き場、加湿器置き場、空気清浄機置き場、マートフォンや携帯電話の充電スポット、非ロボット系掃除機収納をさらに備える、（１１）エレベーター（符号２３）で数十センチ上昇した後、ロボット掃除機と充電台とが接触し充電する方式、（１２）小型ペットが秘密基地化したがるスペース、（１３）格子状のシャッター（符号２２）又は換気扇とセットのシャッター、前記の（１）〜（１３）とを、２点以上１３点以下の範囲内に収めながら組み合わせることによって、単に多様な収納だけでなく、リチウム充電火災対策が講じられている仕様、地震の際にトレイ（符号６）及び又は引き出しが家具躯体（符号１）から飛び出すことを防ぎ、充電スポットの点検作業が容易な仕様を有することを特徴とする家具システム。
【請求項２】
請求項１に記載の家具システムに用いられるロック機構であって、（１）回転軸部分からとっかかり部分側の方が回転軸部分からデッドボルト又はラッチボルト側よりも重くなるポイントにおいて、前記凹状又は凸状のとっかかり部分とデットボルト又はラッチボルトとが一体化した部品（符号１１）をトレイ（符号５）に軸着し、かつ、ストライク（符号１４）を凹状又は凸状のとっかかり部分とデットボルト又はラッチボルトとが一体化した部品（符号１１）の回転軸よりも位置エネルギーが高い位置に設け、モーメントを利用する方式、（２）ストライク（符号１４）を、前記凹状又は凸状のとっかかり部分とデットボルト又はラッチボルトとが一体化した部品（符号１１）の凹状又は凸状のとっかかり部分よりも位置エネルギーが低い位置に設け、モーメントを利用しない方式、前記（１）（２）の２種類の方式を持ち、前記凹状又は凸状のとっかかり部分とデッドボルト又はラッチボルトとが一体化した部品（符号１１）のデッドボルト又はラッチボルト部分が、自重によって、相対的固定物である家具躯体（符号１）に設けられたストライク（符号１４）に挿嵌され、さらにその自重によってその挿嵌状態が維持され、前記凹状又は凸状のとっかかり部分とデッドボルト又はラッチボルトとが一体化した部品（符号１１）を重力に逆らって引き上げることによってロックが解除されることを特徴とするロック機構。
【請求項３】
トレイ押し込み接続方式は、トレイ（符号５）を押し込むことによって、充電台に電力を供給する電源とトレイ（符号５）に固定された充電台又は充電アダプター又はアダプターの刃（符号８）とが、家具躯体（符号１）又はトレイ・アダプター（符号９）に固定されたコードコネクタボディのコネクタ又はアダプター（符号３）を介して接続されることを特徴とする、請求項１に記載の家具システム。
【請求項４】
請求項１または３に記載の家具システムに用いられるトレイであって、充電台や充電アダプターやコードを固定でき、それによって家具内に設けられた充電スポットを整理整頓できることを特徴とするトレイ。
【請求項５】
請求項１または３に記載の家具システムに用いられるトレイ・アダプターであって、各国の電気関連法規の際については、トレイ・アダプター側において修正及び微調整し、メーカー間の際については、トレイ側で修正及び微調整することによって、前記トレイ押し込み接続方式の接続精度を上げることを特徴とする、家具躯体（符号１）とトレイ（符号５）とを繋ぐトレイ・アダプター。
【請求項６】
請求項２に記載のロック機構の内のモーメントを利用しない方式のロック機構であって、相対的固定物である家具躯体（符号１）に対して相対的移動物にあたる側にある凹状又は凸状のとっかかり部分とデッドボルト又はラッチボルトとが一体化した部品（符号１１）が引き上げられている状態において、前記凹状又は凸状のとっかかり部分とデッドボルト又はラッチボルトとが一体化した部品（符号１１）と、家具躯体（符号１）に対し相対的移動物にあたる側の引き出し（符号１５）、引き戸、扉とを貫通する穴を設け、そこにピンを挿貫することによって、重力に従う直線運動を防ぎ、ロック機構を無効化する手段を備えたロック機構。
【請求項７】
請求項６に記載のロック機構であって、傾きによって弱まる自重によるロック力を、バネや磁石を組み込むことによって補うロック機構。
【請求項８】
請求項２に記載のロック機構の内のモーメントを利用する方式のロック機構であって、相対的固定物である家具躯体（符号１）に対して相対的移動物にあたる側にある凹状又は凸状のとっかかり部分とデッドボルト又はラッチボルトとが一体化した部品（符号１１）が引き上げられている状態において、前記凹状又は凸状のとっかかり部分とデッドボルト又はラッチボルトとが一体化した部品（符号１１）と、家具躯体（符号１）に対し相対的移動物にあたる側のトレイ（符号５）とを貫通する穴を設け、そこにピンを挿貫することによって、重力に従う回転運動を防ぎ、ロック機構を無効化する手段を備えたロック機構。
【発明の詳細な説明】
【技術分野】
【０００１】  本発明は、充電できるロボット掃除機の収納スペースを持つ家具及び、その商品化を後押しする方法及び技術に関するものである。「その商品化を後押しする方法及び技術」には、（１）ハンドル（取っ手）自重式ロック、（２）ロボット掃除機収納スペース付家具用のトレイ、（３）家具とトレイとを繋ぐトレイ・アダプター、（４）トレイ押し込み接続方式、（５）火災警報器等の既存の技術の組み込み、（６）雨傘ならぬ粉塵傘の設置、（７）対流を促すための天板の傾斜、（８）四隅の球面化、（９）耐火性のある部材の適宜使用、（１０）耐熱性のある部材の適宜使用、これらが含まれている。
【背景技術】
【０００２】  充電スポットのスペースは、ロボット掃除機が充電をしている間、立ち入り禁止区域になる。家具が設置されたスペースは、常に立ち入り禁止区域である。
故に、もし設置されている家具が充電できるロボット掃除機収納スペースを持っていたならば、ロボット掃除機を擁する建物等における立ち入り禁止区域が削減できる。【０００３】  しかし、充電できるロボット掃除機の収納スペースを持つ家具は、それ自体で既に実用新案性を持っているものの、商品化が難しい。
【発明の概要】
【発明が解決しようとする課題】
【０００４】  解決しようとする問題点は、最低でもロボット掃除機が充電している間、充電スポットのスペースが立ち入り禁止区域になる点である。【０００５】  そして、それ自体で既に実用新案性を有しているものの、充電できるロボット掃除機の収納スペースを持つ家具、それだけでは、商品化が難しい点である。
【課題を解決するための手段】
【０００６】  家具に、充電できるロボット掃除機収納スペースを、付与する。【０００７】  ニーズ等に応じるために、次の対策を、講じる。
角を取る等、収納スペース内に埃が溜まり難い仕様を、用意する。【０００８】  例えばカメラを設置する等、当該収納スペース付き家具を動かさなくても、（１）蜘蛛の巣が張られていないか、（２）盗聴器が仕掛けられていないか、（３）充電機器の接触部分に埃が溜っていないか、等々についての点検ができる仕様を、用意する。【０００９】  例えばトレイ上で充電する等、当該収納スペース内においてそれらが故障した際、（１）直接触れたり、（２）棒で掻き出したり、（３）当該収納スペース付き家具を移動させたり、このような工程をせずに、故障したロボット掃除機等を取り出せる仕様を、用意する。【００１０】  対流を促す形状にする等、充電時に発生する熱が篭り難い仕様を、用意する。【００１１】  子供の悪戯防止用のロック、又は耐震用のロック、又はそれらを同時に兼ね備えるロック、その中のどれかが付いた仕様を、用意する。【００１２】  収納スペース内において万が一ロボット掃除機が発火しても、延焼速度を抑えられる仕様を、用意する。耐火性のある部材や、放熱性のある部材を適宜使用することによって。【００１３】（１）煙、又は（２）温度、又は（３）両方に反応する火災警報器、それを備える仕様を、用意する。【００１４】（１）家具側にコードコネクタボディのコネクタ（又はテーブルタップのコンセント、又はアダプター）を設置するのではなく、（２）家具とトレイとを繋ぐトレイ・アダプターに、コードコネクタボディのコネクタ（又はテーブルタップのコンセント、又はアダプター）を設置し、（３）その家具側に設置されたトレイ・アダプターにトレイを押し込むと接続される、そのような仕様を、用意する。【００１５】  ハムスター等の小型ペットが嫌う音と光を出す、対小型ペット警告器、それが付いた仕様を、用意する。【００１６】  逆に、ハムスター等の小型ペットが秘密基地にしたくなるスペース、それが付いた仕様を、用意する。【００１７】（１）ロボット掃除機の都合に応じて自動開閉する、ハムスター等の小型ペットの侵入を防げる粗さの格子状の内戸又は格子状のシャッター、（３）空気清浄機能付き小型換気扇とセットのシャッター、その内のどれか一つが付いた仕様を、用意する【００１８】  ロボット掃除機収納スペースを二段式にし、エレベーターで床上数十センチメートルまで上昇し、その後で充電する仕様を、用意する。
【発明の効果】
【００１９】  室内をより広々と使える、という利点がある。【００２０】（１）充電中にペット等の接近を防ぐための柵の設置、（２）当該部屋入室禁止措置、そのような措置の必要性が減る、という利点がある。【００２１】（１）充電アダプター、（２）充電台、（３）充電中のロボット掃除機、それらを踏むことによって怪我するリスク、それを減らせる、という利点がある。【００２２】（１）充電アダプター、（２）充電台、（３）充電中のロボット掃除機、それらを踏むことによって壊すリスク、それを減らせる、という利点がある。【００２３】  個人差がある可能性は排除されていないが、少なくともコードレス化されるとスッキリした感を覚えるタイプに対しては、スッキリした感を与えられる、という利点がある。【００２４】（１）パソコン台、（２）ルーター置き場、（３）テレビ台、（４）ゲーム機置き場、（５）レコーダー置き場、（６）電子レンジ台、（７）トースター台、（８）コーヒーメーカー置き場、（９）加湿器置き場、（１０）空気清浄機置き場、（１１）スマートフォンや携帯電話の充電スポット、（１２）非ロボット系掃除機収納、等々と組み合わせれば、既存の家具に付加価値を与えられる、という利点がある。【００２５】（１）家具側にコードコネクタボディのコネクタ（又はテーブルタップのコンセント、又はアダプター）を設置するのではなく、（２）家具とトレイとを繋ぐトレイ・アダプターに、コードコネクタボディのコネクタ（又はテーブルタップのコンセント、又はアダプター）を設置する仕様にし、（３）そのトレイ・アダプターを家具側に設置する仕様にし、（４）それをトレイとセットで販売する。
こうすれば、（１）規模の小さい工房であっても、接続精度の高いトレイ押し込み接続式の充電できるロボット掃除機収納スペース付き家具を販売でき、（２）接続精度の高いトレイ押し込み接続式の充電できるロボット掃除機収納スペース付き組み立て式家具を提供でき、（３）さらに接続精度の高いトレイ押し込み接続式の充電できるロボット掃除機収納スペース付き家具へのリフォームが容易になる。
これもまた、利点である。【００２６】（１）購入者が、それぞれの事情に合った収納スタイルを選択できるだけではなく、（２）購入者が、それぞれの事情に合ったリチウム電池火災リスク、（３）購入者が、それぞれの事情に合ったペット・トラブル・リスク、（４）購入者が、それぞれの事情に合った子供の悪戯リスク、（５）購入者が、それぞれの事情に合った地震リスク、等々のリスクまで管理できる。
これによって、（１）悪意のあるクレーム、（２）悪意のある耐久試験、（３）悪意のあるＳＮＳ、（４）悪意のある報道、（５）悪意のある情報バラエティ番組、（６）悪意のある訴訟、（７）悪意のある裁判から、次の三者が守られる。
（１）多用途（マルチ）家電家具という新市場。（２）先駆的企業。（３）充電アダプター、充電台、充電中のロボット掃除機を踏み、ロボット掃除機等を壊してしまうリスク等が減ることによって安堵が得られる事情を有する人たち。
これもまた、利点である。【００２７】  多用途家電家具（マルチ家電家具、システム家電家具）という新市場を開拓できる、という利点がある。【００２８】  ハンドル（取っ手）の自重でロックするロックは、キーや電力がなくてもロック及び解除ができることから、（１）家具の子供の悪戯防止用ロックとしても、（２）地震に見舞われた際、家具の引き出し開放による収納物の散乱、引き戸開放による収納物の散乱、扉開放による収納物の散乱、この３点の防止を目的とする防災用ロックとしても、利用できる、という利点がある。【００２９】  ロボット掃除機収納スペース、そこがハムスター等の小型ペットの秘密基地（居心地のよい場所）化するリスクを減らせる、という利点がある。
【図面の簡単な説明】
【００３０】
【図１】コードは省略されているが、図１は、本考案のフル装備に近い１実施例の家具躯体の断面図であり、トレイ押し込み接続式についての、１実施例のトレイの側面図でもある。（実施例１）
【図２】コードは省略されているが、図２は、トレイ押し込み接続式についての、１実施例である図１（実施例１）の、トレイの平面図及び側面図である。（ａ）は、そのトレイの平面図である。（ｂ）は、そのトレイの側面図である。（実施例１）
【図３】コードは省略されているが、図３は、トレイ押し込み接続式の精度を高めるための、家具とトレイとを繋ぐトレイ・アダプターについての、１実施例の平面図である。（ａ）は、トレイ・アダプターの平面図である。（ｂ）は、そのトレイ・アダプターに収まるトレイ（実施例１）の平面図である。（実施例２）
【図４】コードは省略されているが、図４は、充電台が側面に設置されるタイプ及び、充電台が背面に設置されるタイプ、この二種類の、トレイ押し込み接続式底なしタイプについての、１実施例の平面図である。（ａ）は、充電台が側面に設置されるタイプのトレイである。（ｂ）は、充電台が背面に設置されるタイプのトレイである。（実施例３）
【図５】コードは省略されているが、図５は、（１）ハムスター等の小型ペットがロボット掃除機収納スペースを秘密基地化するリスク、（２）犬等の中型ペットがロボット掃除機や充電台に排尿するリスク、この２点のペット・トラブル・リスクを減らせる、ロボット掃除機収納スペースを二段式（エレベーターで床上数十センチメートルまで上昇後充電式）についての、１実施例の家具躯体の断面図である。（実施例４）
【図６】コードは省略されているが、図６は、コードコネクタボディのコネクタ又はテーブルタップのコンセントを家具側に引き込み、トレイ内において充電台等と接続する方式についての、１実施例の断面図である。（実施例５）
【図７】コードは省略されているが、図７は、コードコネクタボディのコネクタ又はテーブルタップのコンセントを家具側に引き込み、トレイを使用せず、収納スペース内において充電台等と接続する方式についての、１実施例の断面図である。（実施例６）
【図８】コードは省略されているが、図８は、コードコネクタボディのコネクタ又はテーブルタップのコンセントを家具側に引き込み、ロボット掃除機の収納スペースの上スペース又は横スペースにおいて充電台等と、（１）上スペースの場合は充電台置き場の上に開けられた穴を通じて接続する、（２）横スペースの場合は充電台置き場の横に開けられた穴を通じて接続する、そのような方式についての、１実施例（当該図は上スペース・タイプのみ）の断面図である。（実施例７）
【図９】図９は、モーメントを用いたタイプのハンドルの類自重式ロックについての、１実施例の説明図である。（ａ）は、ロックが解除されている状態についての説明図である。（ｂ）は、ロックされている状態についての説明図である。（実施例８）
【図１０】図１０は、直線的タイプのハンドルの類自重式ロックについての、１実施例の説明図であり、デッドボルトに丸みを与え、閉める際に１工程を省けるようにすべくラッチトボルトに変える場合についての、１実施例の説明図でもある。（ａ）は、ロックしている状態についての説明図である。（ｂ）は、ロックが解除されている状態についての説明図である。（実施例９）
【図１１】コードは省略されているが、図１１は、図１（実施例１）においてトレイが押し込まれた瞬間、又は家具からトレイを引き出すためにロックを解除した瞬間についての、家具躯体の断面図であり、トレイ押し込み接続式についての、１実施例のトレイの側面図でもある。（実施例１）
【図１２】コードは省略されているが、図１２は、（１）図１（実施例１）においてトレイが押し込まれ且つ、ハンドルの類自重式ロックがロックされた状態についての、家具躯体の断面図であり、（２）トレイ押し込み接続式についての、１実施例のトレイの側面図でもある。（実施例１）（実施例８）
【図１３】図１３は、図１０の分解図である。（実施例９）
【図１４】図１４は、図１０を引き戸や扉に応用した１実施例の分解図である。（ａ）は、引き戸に応用した場合を示している。（ｂ）は、扉に応用した場合を示している。（実施例９）
【発明を実施するための形態】
【００３１】（１）ハンドル（取っ手）自重式ロック、（２）ロボット掃除機収納スペース付き家具用のトレイ及びトレイ・アダプター、（３）トレイ押し込み接続方式、等々により、購入者がそれぞれの事情に合った収納スタイルを選択できるだけではなく、購入者がそれぞれの事情に合ったリチウム電池火災リスク、ペット・トラブル・リスク、子供の悪戯リスク、地震リスク、等々のリスクまで管理できる。
【実施例１】
【００３２】（１）家具側（又はトレイ・アダプター側）にコードコネクタボディのコネクタ（又はテーブルタップのコンセント、又はアダプター）を固定する。（２）子供の悪戯防止用のロックが付いた、ロボット掃除機が収まる車輪が付けられた段差の小さなトレイ側（図１の実施例１ではスロープを付けることによってできる限り段差を小さくしている）に、充電台等を固定する。（３）それによって、トレイを押し込めば、家具側（又はトレイ・アダプター側）に固定されたコードコネクタボディのコネクタ（又はテーブルタップのコンセント、又はアダプター）に、充電アダプターのプラグ（又は充電アダプターとアダプター、又は充電台のプラグ、又は充電台のプラグとアダプター）が挿嵌される（以後、この方法をトレイ押し込み接続式と呼ぶことにする）。（４）そしてさらに、挿嵌された状態でハンドル（取っ手）から手を離すことによって子供の悪戯防止用のロックがロックされる。
要するに、（１）各国の電気関連法規の差異については、家具側（又はトレイ・アダプター）に固定されるコードコネクタボディのコネクタ（又はテーブルタップのコンセント、又はアダプター）において修正及び微調整し、（２）メーカー間の差異については、子供の悪戯防止用のロックが付いた掃除機が収まる車輪が付けられた段差の小さなトレイ側で修正及び微調整する。
コードが省略された概念図であるものの、図１は、（１）本発明のフル装備に近い１実施例の（家具については）断面図であり、（２）（トレイ、充電アダプター、コード、ハンドル（取っ手）については）側面図であり。図２は、トレイの平面図と側面図である。なお、本発明においては、図９においてその機構が説明されている、ハンドル（取っ手）の自重を用いたロック機構を以て、子供の悪戯防止用のロックとしている。
こうすれば、ロボット掃除機収納スペース内において（帰還後、充電中、再始動直後に）故障した際に、トレイを引き出すだけでロボット掃除機を取り出せる。カメラを設置しなくても、（１）蜘蛛の巣が張られていないか、（２）盗聴器が仕掛けられていないか、（３）充電機器の接触部分に埃が溜っていないか、等々の点検ができる。【００３３】  なお、（１）埃対策として、トレイの四隅（本件の場合は背面の二隅）の角をなくし、（２）家具側に固定されたコードコネクタボディのコネクタ（又はテーブルタップのコンセント、又はアダプター）と充電アダプターのプラグ（又はアダプター、又は充電台のプラグ）との間に埃が溜まるのを防ぐための、雨傘ならぬ粉塵傘を設置し、（３）熱対策として、トレイ出し入れ口の方が大きくなるようにすべく天板に傾斜を与えてある。（４）購入者がそれぞれの事情に合う収納スタイルを選択できるだけではなく、リスクを管理できることが顧客満足度的にも望ましいであろうが故に、オプション化されるべきであろう、煙、又は温度、又は両方に反応する火災警報器、（５）リチウム電池火災にも対応可能な消火装置、（６）点検用カメラ、（７）発展型として、ハムスター等の小型ペットが嫌う音と光を出す対小型ペット警告器も、設置されている。
【実施例２】
【００３４】  コードが省略された概念図であるものの、図３は、家具とトレイとを繋ぐトレイ・アダプターの１実施例の平面図である。なお、トレイとの関係をより明確にするために、トレイの１実施例の平面図を付け加えた。
もし規格が統一され、工場で量産されたトレイ及びトレイ・アダプターがセットで販売され始めれば、（１）規模の小さい工房であっても、接続精度の高い、トレイ押し込み接続式の、充電できるロボット掃除機収納スペース付き家具を販売できる。（２）接続精度の高いトレイ押し込み接続式の充電できるロボット掃除機収納スペース付き組み立て式家具、それが提供できる。（３）さらに、接続精度の高いトレイ押し込み接続式の充電できるロボット掃除機収納スペース付き家具へのリフォームが容易になる。
【実施例３】
【００３５】  図４で示したトレイ押し込み接続式底なしタイプの１実施例は、図１の実施例１（トレイ押し込み接続式底ありタイプ）で設けたスロープ、それすら苦手にするロボット掃除機に向いている。
しかし、ロボット掃除機収納スペース内の床面の埃、その手入れについては、図１の実施例１（トレイ押し込み接続式底ありタイプ）より難儀する。加えて、より床暖房の影響を受ける。
【実施例４】
【００３６】  ロボット掃除機収納スペース、そこが小型ペットの秘密基地（居心地のよい場所）化するリスクを減らす方法。その一つに、ロボット掃除機収納スペースを二段式にし、エレベーターで床上数十センチメートルまで上昇後充電する方法がある。その１実施例を示した図が、図５である。
この場合、図３で示したトレイ押し込み接続式底なしタイプの１実施例を、上段に設置する。
言うまでもないことかもしれないが、エレベーターで床上数十センチメートルまで上昇後充電する方法、それを採用すると、トレイを引き出せばロボット掃除機を収納スペース付き家具から取り出せる、この因果関係が崩れる。
【実施例５】
【００３７】  コードコネクタボディのコネクタ（又はテーブルタップのコンセント）を家具側に引き込み、トレイ内で充電アダプターや充電台やアダプターと接続する方法もある。その１実施例を示した図が、図６である。
しかし、その方法は、実施例１や実施例２のトレイ押し込み接続式と比べれば、コードコネクタボディのコード（又はテーブルタップのコード）を、ロボット掃除機の帰還、充電、再始動の妨げにならないようにするための工程が必要不可欠になる。しかもそれは幾分窮屈な工程になる。
当然、収納スペース帰還後、充電中、再始動直後に故障した際には、その逆の工程が必要不可欠になる。
【実施例６】
【００３８】  コードコネクタボディのコネクタ（又はテーブルタップのコンセント）を家具側に引き込み、トレイを使用せず、収納スペース内において充電アダプターや充電台と接続する方法もある。その１実施例を示した図が、図７である。
しかし、その方法もまた、コードコネクタボディのコード（又はテーブルタップのコード）を、ロボット掃除機の帰還、充電、再始動の妨げにならないようにするための工程が必要不可欠になる。
それだけに留まらず、収納スペース内において充電台を設置し、充電台のコード、場合によっては充電アダプターと充電台との間のコードを、ロボット掃除機の帰還、充電、再始動の妨げにならないようにするための工程も必要不可欠になる。
さらに、収納スペース帰還後、充電中、再始動直後に故障した際に、（１）ロボット掃除機に直接触れるか、（２）棒で掻き出すか、（３）収納スペース付き家具を動かすか、この中のどれか１つが必要最低工程になる。
【実施例７】
【００３９】  コードコネクタボディのコネクタ（又はテーブルタップのコンセント）を家具側に引き込み、ロボット掃除機の収納スペースの上スペース又は横スペースにおいて充電台等と、（１）上スペースの場合は充電台置き場の上に開けられた穴を通じて接続する方法も、（２）横スペースの場合は充電台置き場の横に開けられた穴を通じて接続する方法もある。その１実施例を示した図が、図８である。要するに、実施例５（図６）の、トレイのないバージョンである。
しかし、その方法であっても、実施例６（図７）同様に、収納スペース内における幾分窮屈な工程がなくならないことについては、変りはない。さらに、収納スペース帰還後、充電中、再始動直後に故障した際に、（１）ロボット掃除機に直接触れるか、（２）棒で掻き出すか、（３）収納スペース付き家具を動かすか、この中のどれか１つが必要最低工程になることについても、変りはない。
【実施例８】
【００４０】  図９と図１０は、ハンドル（取っ手）の自重式ロック１実施例についての、説明図である。
図９の方はモーメントを用いたタイプであるが故に直線的ではないだけであって、両者とも（１）相対的移動物（引き出し、引き戸、扉、トレイ）に設置されたハンドル（取っ手）と一体化したデッドボルト（又はラッチボルト）と、（２）相対的不動物（家具の躯体）に設置されたストライクから構成され、（３）ハンドル（取っ手）の自重によってストライクにハンドル（取っ手）と一体化したデッドボルト（又はラッチボルト）が挿嵌され、（４）それによってロックされ、（５）ハンドル（取っ手）を引き上げることによってロックが解除される、という特徴を持つ。当然、（６）両者ともハンドル（取っ手）自体がキーでもありサムターンでもある故に、（７）両者ともキーや電力がなくても、ロック及び解除ができる。
家具の耐震性能を向上させるロックという側面だけでなく、家具の子供の悪戯防止用ロックという側面も有しているのが、本件ハンドル（取っ手）自重式ロック（ハンドル（取っ手）自重ロック）である。
なお、（１）ハンドル（取っ手）と一体化したデッドボルト（又はラッチボルト）が引き上げられている状態（ロックが解除された状態）において、（２）相対的移動物側（この場合は、トレイ側）とデッドボルト（又はラッチボルト）と一体化したハンドル（取っ手）を貫通する穴をもう一つ追加し、（３）そこにピンを挿貫すれば、ハンドル（取っ手）自重式ロックは無効になる。延いては、煩わしくなったタイプの要求に応えられる。
【実施例９】
【００４１】  図１０で示されているハンドル（取っ手）の自重でロックするロックの１実施例の場合は、相対的移動物側（引き出し、引き戸、扉側）のシリンダー内部にバネや磁石（磁石の場合は、デッドボルト、又はラッチボルトと一体化したハンドル（取っ手）にも磁石を設置し且つ、そのシリンダー内で斥力が発生するようにしなければならない）を設置すれば、ハンドルとストライクの両方が非磁性体であっても、キャンピング・カーや船の家具にも対応できる。
なお、（１）ハンドル（取っ手）と一体化したデッドボルト（又はラッチボルト）が引き上げられている状態（ロックが解除された状態）において、（２）相対的移動物側（この場合は、引き出し、引き戸、扉側）とデッドボルト（又はラッチボルト）と一体化したハンドル（取っ手）を貫通する穴を設け、（３）そこにピンを挿貫すれば、ハンドル（取っ手）自重式ロックは無効になる。延いては、煩わしくなったタイプの要求に応えられる。
ちなみに、当該説明図においては、（１）ハンドル（取っ手）と一体化したデッドボルトにラチェット機能を付与するために丸みを与え、（２）ハンドル（取っ手）を引き上げなくても引き出し（又は引き戸、又は扉）を閉めるだけでロックする、ラッチボルト化したものが描かれてある。
【産業上の利用可能性】
【００４２】（１）購入者がそれぞれの事情に合った収納スタイルを選択できるだけではなく、（２）購入者がそれぞれの事情に合ったリチウム電池火災リスク、（３）ペット・トラブル・リスク、（４）子供の悪戯リスク、（５）地震リスク、等々のリスクまで管理できれば、（１）悪意のあるクレーム、（２）悪意のある耐久試験、（３）悪意のあるＳＮＳ、（４）悪意のある報道、（５）悪意のある情報バラエティ番組、（６）悪意のある訴訟、（７）悪意のある裁判から、（１）多用途家電家具（マルチ家電家具、システム家電家具）という新市場を守り、（２）先駆的企業を守り、（３）延いては充電アダプターや充電台、充電中のロボット掃除機を踏んで、ロボット掃除機等を壊してしまうリスク等が減ることによって安堵が得られる事情を有する人たちを守れる。【００４３】（１）家具側にコードコネクタボディのコネクタ（又はテーブルタップのコンセント、又はアダプター）を設置するのではなく、（２）家具とトレイとを繋ぐトレイ・アダプターにコードコネクタボディのコネクタ（又はテーブルタップのコンセント、又はアダプター）を設置する仕様にし、（３）そのトレイ・アダプターを家具側に設置する仕様にし、（４）それをトレイとセットで販売するようにすれば、（１）規模の小さい工房でも接続精度の高いトレイ押し込み接続式の充電できるロボット掃除機収納スペース付き家具を販売できるばかりか、（２）接続精度の高いトレイ押し込み接続式の充電できるロボット掃除機収納スペース付き組み立て式家具を提供でき、（３）さらに接続精度の高い家具へのリフォーム用のパーツを提供できる。【００４４】（１）キーや電力がなくてもロック及び解除が可能であり、（２）ハンドル（取っ手）を含めても部品点数が３点で抑えられ、（３）さらに、実施例８や実施例９で説明したように、ピンを差し込むだけでハンドル（取っ手）自重式ロックを無効にすることができる仕様を、比較的簡単に（穴を設けピンを追加しただけで）用意できる、この３点を理由に、（１）家具の子供の悪戯防止用ロックとしても、（２）地震の揺れによる家具の引き出し及びその収納物の散乱や引き戸、扉開放による収納物の散乱を防止することを目的とする防災用ロックとしても利用できる、この２つの機能を持つハンドル（取っ手）自重式ロックは、地震の多い地域や子供の悪戯防止用ロック付き用品が望まれている地域の家具において、初期設定化する可能性がある。
【符号の説明】
【００４５】  １  家具の躯体
２  家具の耐火性能を高められる場合によってはオプショナルなパーツ
３  家具側に固定されたコードコネクタボディのコネクタ（又はテーブルタップのコンセント、又はアダプター）
４  家具側に固定されたコードコネクタボディのコネクタ（又はテーブルタップのコンセント、又はアダプター）と充電アダプターのプラグ（又はアダプター、又は充電台のプラグ）との間に埃が溜まらないようにするための雨傘ならぬ粉塵傘
５  トレイ
６  第一ロック
７  車輪
８  充電アダプターのプラグ（又はアダプター、又は充電台のプラグ）の刃
９  充電アダプター（又は充電アダプターとアダプター、又は充電台のプラグ、又は充電台のプラグとアダプター）
１０  充電台
１１  子供の悪戯防止用ロックのデッドボルト（＝ハンドル（取っ手）自重ロックのデッドボルト）でもあるハンドル（取っ手）
１２  ロボット掃除機の本体
１３  煙、又は温度、又は両方に反応する火災警報器
１４  第二ロック（＝子供の悪戯防止用ロック＝ハンドル（取っ手）自重式ロック）のストライク
１５  引き出し
１６  ハンドル（取っ手）自重式ロックにラチェット機能を付与するための丸み
１７  底のないトレイの場合、引き出す際に充電台の移動に従えない機種が必要とする、ロボット掃除機と底のないトレイの背面とが衝突しないようにするためのホルダー（又はクッション）
１８  トレイ・アダプターと家具との間の固定具
１９  カメラ
２０  ハムスター等の小型ペットが嫌う音と光を出す対小型ペット警告器
２１  リチウム電池火災にも対応できる消火装置
２２  熱を篭らせないための格子戸、又は格子の内戸、又は格子のシャッター
２３  ロボット掃除機用エレベーター
２４  穴
２５  ピン
【図１】
0006890905.tif 000002
【図２】
0006890905.tif 000003
【図３】
0006890905.tif 000004
【図４】
0006890905.tif 000005
【図５】
0006890905.tif 000006
【図６】
0006890905.tif 000007
【図７】
0006890905.tif 000008
【図８】
0006890905.tif 000009
【図９】
0006890905.tif 000010
【図１０】
0006890905.tif 000011
【図１１】
0006890905.tif 000012
【図１２】
0006890905.tif 000013
【図１３】
0006890905.tif 000014
【図１４】
0006890905.tif 000015